(57)【要約】  本発明は、分割構造の太陽電池モジュール（６）用接続箱と、分割構造の接続箱を備える太陽電池モジュール（６）を提供している。当該分割構造の接続箱は、バイパスダイオード（１２）及び前記導電性ストリップ（１３）が設置される本体接続箱（１）と、太陽電池モジュール（６）におけるバスバーと接続される導電体が設置される補助接続箱（２）とを含み、本体接続箱（１）内の導電性ストリップ（１３）は、補助接続箱（２）内の導電体と電気的に接続される。当該発明によれば、接続箱内の電子回路の故障は、該太陽電池モジュールの品質に影響を与えることなく、故障が発生した電子回路部分に対するメンテナンスも容易に行える。
2013506274.tif 000002
【特許請求の範囲】
【請求項１】
導電性ストリップと、前記導電性ストリップに設けられるバイパスダイオードとを備える太陽電池モジュール用接続箱であって、
前記バイパスダイオード及び前記導電性ストリップが設置される本体接続箱と、
太陽電池モジュールにおけるバスバーと接続されるための導電体が設置される補助接続箱とを含み、
前記本体接続箱内の前記導電性ストリップと、前記補助接続箱内の前記導電体とが、電気的に接続される、
ことを特徴とする太陽電池モジュール用接続箱。
【請求項２】
前記補助接続箱は、前記太陽電池モジュールの裏面に取り付けられ、前記本体接続箱は、前記太陽電池モジュールの枠、或いはモジュール取付フレームに取り付けられる
ことを特徴とする請求項１に記載の太陽電池モジュール用接続箱。
【請求項３】
前記補助接続箱は、前記太陽電池モジュールの裏面に取り付けられ、前記本体接続箱は、前記補助接続箱に電気的に接続されるプラグインタイプの集積モジュールである
ことを特徴とする請求項１に記載の太陽電池モジュール用接続箱。
【請求項４】
前記補助接続箱は、前記太陽電池モジュールの裏面に取り付けられ、前記本体接続箱は、太陽電池モジュールの補強パネルに取り付けられる
ことを特徴とする請求項１に記載の太陽電池モジュール用接続箱。
【請求項５】
前記補強パネルには、凸部が備えられ、前記本体接続箱は前記凸部内に取り付けられる
ことを特徴とする請求項４に記載の太陽電池モジュール用接続箱。
【請求項６】
前記本体接続箱内の導電性ストリップと前記補助接続箱内の導電体とは、ソケット接続、或いはワイヤ接続によって電気的に接続される
ことを特徴とする請求項１から５のいずれか一項に記載の太陽電池モジュール用接続箱。
【請求項７】
前記本体接続箱に、前記本体接続箱内の導電性ストリップと電気的に接続され、太陽電池モジュールからの電流を出力するための出力端が設置される
ことを特徴とする請求項１から５のいずれか一項に記載の太陽電池モジュール用接続箱。
【請求項８】
前記バスバーと前記導電体とは、半田付け、リベット締め、弾性圧接或いはスクリュー圧接の方式によって接続される
ことを特徴とする請求項１から５のいずれか一項に記載の太陽電池モジュール用接続箱。
【請求項９】
前記補助接続箱と前記本体接続箱とは、いずれも密閉された構造である
ことを特徴とする請求項１から５のいずれか一項に記載の太陽電池モジュール用接続箱。
【請求項１０】
前記補助接続箱と前記本体接続箱は、ポッティング方式、プラスチックパッケージ方式、或いは密閉箱体とする方式によって密閉される
ことを特徴とする請求項９に記載の太陽電池モジュール用接続箱。
【請求項１１】
請求項１から１０の何れか一項に記載の前記太陽電池モジュール用接続箱を含む
ことを特徴とする太陽電池モジュール。
【発明の詳細な説明】
【技術分野】
【０００１】
本発明は、太陽電池モジュール用接続箱に関し、特に分割構造の太陽電池モジュール用接続箱、及び当該接続箱を備える太陽電池モジュールに関する。
【背景技術】
【０００２】
従来では、太陽電池モジュール用接続箱は、太陽電池モジュールの裏面に、直接に設けられるようになっている。当該太陽電池モジュール用接続箱は、箱体と箱カバーとを有し、当該箱体内には、太陽電池モジュールのバスバーに接続され、それぞれの電池ストリングの電流を引き出す導電性ストリップと、前記導電性ストリップに接続され、各電池ストリングを保護するバイパスダイオードと、前記導電性ストリップに接続され、太陽電池モジュールからの電流を出力するケーブル及びケーブルコネクタの組み合わせと、が設置される。
【発明の概要】
【発明が解決しようとする課題】
【０００３】
本発明者は、本発明を行う途中に、従来の技術において少なくとも下記のような問題があると見出した。即ち、接続箱は、太陽電池モジュールの裏面に、シリカゲルで直接に固定して取り付けられているため、バイパスダイオードまたは接続箱内の他の部品に故障が発生する場合に、直接に太陽電池モジュールの品質に悪い影響を与え、ひいてはモジュール全体を破壊することになる。また、この場合、接続箱全体をモジュールの裏面から外す必要があるため、メンテナンスに不便で、かつ、モジュールの裏面が破壊される恐れがある。
【０００４】
本発明は、接続箱内の電子回路部分において故障が発生すると太陽電池モジュールの品質に影響を与える問題、及び、故障が発生した電子回路部分に対するメンテナンスが不便な問題を解決するための太陽電池モジュール用接続箱を提供することを目的とする。
【０００５】
本発明の他の目的は、従来の太陽電池モジュールにおける、接続箱による品質不良とメンテナンス困難の問題を解決するために、上記した接続箱が備えられる太陽電池モジュールを提供することである。
【課題を解決するための手段】
【０００６】
上記した技術問題を解決するために、本発明は、導電性ストリップと、前記導電性ストリップに設けられるバイパスダイオードとを備える太陽電池モジュール用接続箱であって、前記バイパスダイオード及び前記導電性ストリップが設置される本体接続箱と、太陽電池モジュールにおけるバスバーと接続されるための導電体が設置される補助接続箱とを含み、前記本体接続箱内の導電性ストリップと、前記補助接続箱内の導電体とが、電気的に接続される、太陽電池モジュール用接続箱を提供する。
【０００７】
また、前記補助接続箱は、前記太陽電池モジュールの裏面に取り付けられ、前記本体接続箱は、前記太陽電池モジュールの枠、或いはモジュール取付フレームに取り付けられてもよく、前記太陽電池モジュールの補強パネルに取り付けられてもよい。
【０００８】
また、前記補強パネルには、凸部が備えられ、前記本体接続箱は前記凸部内に取り付けられる。
【０００９】
また、前記補助接続箱は、前記太陽電池モジュールの裏面に取り付けられ、前記本体接続箱は、補助接続箱と電気的に接続されるプラグインタイプの集積モジュールである。
【００１０】
また、前記本体接続箱内の導電性ストリップと前記補助接続箱内の導電体とは、ソケット接続、或いはワイヤ接続によって接続される。
【００１１】
また、前記本体接続箱に、前記本体接続箱内の導電性ストリップと電気的に接続され、太陽電池モジュールからの電流を出力するための出力端が設置される。
【００１２】
また、前記バスバーと前記導電体とは、半田付け、リベット締め、弾性圧接或いはスクリュー圧接の方式によって接続される。
【００１３】
また、前記補助接続箱と前記本体接続箱とは、いずれも密閉された構造である。
【００１４】
また、前記補助接続箱と前記本体接続箱は、ポッティング方式、プラスチックパッケージ方式、或いは密閉箱体とする方式によって密閉される。
【００１５】
本発明は、上記した太陽電池モジュール用接続箱を含む太陽電池モジュールを更に提供する。
【発明の効果】
【００１６】
本発明は、下記のような有益な効果を奏する。
１、接続箱内の電子回路に重大な故障が発生した場合においても、太陽電池モジュールの品質に影響を与えることなく、太陽電池モジュールの品質を向上させることができる。
２、接続箱における故障が発生し易い電子回路部分に対するメンテナンスが容易に行える。
【図面の簡単な説明】
【００１７】
【図１】本発明の実施例による、本体接続箱と補助接続箱とがワイヤ接続によって接続される分割型太陽電池モジュール用接続箱の構造全体の模式図である。
【図２】図１における太陽電池モジュール用接続箱の分解構造の模式図である。
【図３】本発明の実施例による、本体接続箱と補助接続箱とがソケット接続によって接続される他の分割型太陽電池モジュール用接続箱の構造全体の模式図である。
【図４】本発明の実施例による、本体接続箱が太陽電池モジュールの補強パネルに設けられる上面構造の模式図である。
【図５】図４における補強パネルの下面構造の模式図である。
【発明を実施するための形態】
【００１８】
続いて、本発明について、その目的、技術案及び利点をより明らかにするように、図面を参照しながら説明する。太陽電池モジュールの枠は、明確のために、図面に一部のみが示されているが、上部のみに枠が備えられることに限らないと理解すべきである。
【００１９】
図１から図３に示すように、この実施例による太陽電池モジュール用接続箱は分割構造の接続箱である。当該分割構造の接続箱は、本体接続箱１と、補助接続箱２とを含む。
【００２０】
図２には、分割構造の接続箱の分解構造の模式図が示されている。本体接続箱１は、太陽電池モジュール６の枠５に取り付けられる。本体接続箱１内に、導電性ストリップ１３と、該導電ストリップ１３に設けられたバイパスダイオード１２とが設置される。前記太陽電池モジュール６の裏面に、補助接続箱２が取り付けられる。補助接続箱２に、太陽電池モジュールにおけるバスバーと接続されるための導電体（図示省略）が設置される。ここで、前記バスバーと導電体との接続方式は、半田付けや、リベット締めや、弾性圧接或いはスクリュー圧接であってよい。本体接続箱１内の導電ストリップ１３と補助接続箱２内の導電体とは、電気的に接続されている。例えば、本体接続箱1内の導電ストリップ１３と補助接続箱２内の導電体とは、図1に示すようにワイヤ３１を介するワイヤ接続、或いは図３に示すようにコネクタ３２を利用したソケット接続によって、電気的に接続されている。前記コネクタ３２は、プラグソケットとプラグピンとを介する接続方式によって、本体接続箱１内の導電性ストリップ１３と補助接続箱２内の導電体とを電気的に接続するものであってよい。即ち、前記本体接続箱１において一つのプラグソケットを設置する場合に、前記補助接続箱２において対応する一つのプラグピンを設置する一方、前記補助接続箱２において一つのプラグソケットを設置する場合に、前記本体接続箱１において対応する1つのプラグピンを設置するようにすればよい。また、ソケット接続の緊密性を確保するとともに外部からの腐食を防止するように、前記プラグピンとプラグソケットとの間に、シールリングを有する。シールリングは、前記プラグピンにおけるノッチに設けられることができる（シールリングとノッチについて、図示しない）。
【００２１】
勿論、該本体接続箱１は、太陽電池モジュールの他の部材に設置されてもよい。例えば、太陽電池モジュールの強度に対して特別に要求される環境では、図4に示すように、太陽電池モジュールに、両端が太陽電池モジュールの枠５に接続して固定される補強パネル７を付加する必要がある。この場合、本体接続箱１を補強パネル７に取り付けても良い。図５に示すように、補強パネル７には、凸部７１が備えられ、凸部７１内に本体接続箱１が取り付けられるようにしてもよい。
【００２２】
接続箱に対する保護を図るように、本発明の本体接続箱１を太陽電池モジュールの枠５、或いは補強パネル７での内部スペースに設けることが望ましいが、その取り付け位置はこれに限らないことは言うまでもない。
【００２３】
図１から図３に示すように、本体接続箱１に、出力端であるケーブル及びケーブルコネクタの組み合わせ４が設置されている。該出力端は、本体接続箱１内の導電ストリップ１３に電気的に接続され、前記太陽電池モジュール６からの電流を出力することに使用される。このようにして、他の電気機器が接続し易いように、太陽電池６からの電流は、補助接続箱２、本体接続箱１を順次に通過し、最後に、ケーブル及びケーブルコネクタの組み合わせ４を介して引き出されるようになっている。
【００２４】
本体接続箱１と補助接続箱２とは、いずれも密閉された構造である。前記補助接続箱と前記本体接続箱は、ポッティング方式、プラスチックパッケージ方式、或いは密閉箱体とする方式によって密閉される。例えば、本体接続箱１は、図２に示すように、箱体１４と箱カバー１１を利用した密閉箱体とするものである。
【００２５】
以上の実施例において、本体接続箱と補助接続箱とは、それぞれ太陽電池モジュールの異なる構造位置に固定されていることが記載されているが、体積の小さい集積モジュールである場合に、本体接続箱は、補助接続箱に直接にプラグインによって設置されるとともに、ソケット接続、或いはワイヤ接続によって電気的に接続されることもできる。
【００２６】
本発明の実施例によれば、分割構造、即ち、本体接続箱１と補助接続箱２とを有する構造の接続箱を用いることによって、バイパスダイオード１２の発熱による太陽電池モジュール６の破壊を効率よく除去できるとともに、上記した分割構造の接続箱を含む太陽電池モジュールの品質を向上させることができる。また、分割構造の接続箱が用いられ、故障が発生し易いバイパスダイオード１２と導電ストリップ１３とがそれぞれ本体接続箱１に設けられるので、卸し易くなるとともに、作業者によるメンテナンスにも便利である。
【００２７】
以上は、本発明の最良の実施形態のみであり、当業者にとって、本発明の趣旨を逸脱することなく、改良、修整され得ると共に、その改良、修整されたものも本発明の保護範囲に含まれることは言うまでもない。
【図１】
2013506274.tif 000003
【図２】
2013506274.tif 000004
【図３】
2013506274.tif 000005
【図４】
2013506274.tif 000006
【図５】
2013506274.tif 000007
【国際調査報告】
2013506274.tif 000008
2013506274.tif 000009
2013506274.tif 000010
2013506274.tif 000011